(57)【要約】【課題】道路事業者が適切に料金を収受することができる料金処理装置及び料金処理方法を提供する。【解決手段】実施形態によれば、第１の有料道路と第２の有料道路とを通過する車両の料金を処理する料金処理装置は、記憶部と、取得部と、処理部と、を備える。記憶部は、前記第１の有料道路と前記第２の有料道路との接続箇所に設置されるＣＢからのＣＢ明細情報及び前記第２の有料道路の出場口に設置される出場処理装置からの出場口明細情報を格納する。取得部は、前記ＣＢ明細情報に対応する、前記第１の有料道路の入場口明細情報を取得する。処理部は、前記記憶部から前記ＣＢ明細情報に対応する出場口明細情報を検索し、前記ＣＢ明細情報と前記出場口明細情報とに基づいて料金を決定する。【選択図】      図１
2018124635.tif 000002
【特許請求の範囲】
【請求項１】
第１の有料道路と第２の有料道路とを通過する車両の料金を処理する料金処理装置であって、
前記第１の有料道路と前記第２の有料道路との接続箇所に設置されるＣＢからのＣＢ明細情報及び前記第２の有料道路の出場口に設置される出場処理装置からの出場口明細情報を格納する記憶部と、
前記ＣＢ明細情報に対応する、前記第１の有料道路の入場口明細情報を取得する取得部と、
前記記憶部から前記ＣＢ明細情報に対応する出場口明細情報を検索し、
前記ＣＢ明細情報と前記出場口明細情報とに基づいて料金を決定する、
処理部と、
を備える料金処理装置。
【請求項２】
前記記憶部は、前記出場口明細情報の少なくとも一部の情報を欠損した出場口特処理明細情報を格納し、
前記処理部は、
前記ＣＢ明細情報に基づいて前記ＣＢ明細情報に対応する出場口特処理明細情報を検索し、
前記ＣＢ明細情報と前記出場口特処理明細情報とに基づいて前記料金を決定する、
前記請求項１に記載の料金処理装置。
【請求項３】
前記処理部は、
前記ＣＢ明細情報に対応する出場口特処理明細情報を発見しない場合、ＣＢ明細情報が示すＣＢを起点とする出場口不明処理を行う、
前記請求項２に記載の料金処理装置。
【請求項４】
前記記憶部は、前記ＣＢ明細情報の少なくとも一部の情報を欠損したＣＢ特処理明細情報を格納し、
前記取得部は、前記出場口明細情報に対応する入場口明細情報を取得し、
前記処理部は、
前記出場口明細情報に対応するＣＢ特処理明細情報を検索し、
前記ＣＢ特処理明細情報と前記出場口明細情報とに基づいて料金を決定する、
前記請求項１乃至３の何れか１項に記載の料金処理装置。
【請求項５】
前記処理部は、
前記ＣＢ特処理明細情報を発見しない場合、前記入場口明細情報が示す入場口及び前記出場口明細情報が示す出場口に対応する仮想ＣＢに基づいて料金を決定する、
前記請求項４に記載の料金処理装置。
【請求項６】
前記処理部は、
前記ＣＢ特処理明細情報に対応する出場口特処理明細情報を検索し、
前記ＣＢ特処理明細情報と前記出場口特処理明細情報とに基づいて料金を決定し、
前記取得部は、前記ＣＢ特処理明細情報又は前記出場口特処理明細情報に対応する入場口明細情報を取得する、
前記請求項４又は５に記載の料金処理装置。
【請求項７】
前記ＣＢ明細情報は、決済用カードのカード情報を含み、
前記処理部は、前記カード情報に前記ＣＢ明細情報に対応する出場口明細情報を検索する、
前記請求項１乃至６の何れか１項に記載の料金処理装置。
【請求項８】
前記ＣＢ明細情報は、前記車両の車載器の車載器情報を格納し、
前記出場口特処理明細情報は、前記車載器情報を格納し、
前記処理部は、前記ＣＢ明細情報の前記車載器情報に基づいて前記出場口特処理明細情報を検索する、
前記請求項２に記載の料金処理装置。
【請求項９】
第１の有料道路と第２の有料道路とを通過する車両の料金を処理する料金処理方法であって、
前記第１の有料道路と前記第２の有料道路との接続箇所に設置されるＣＢからのＣＢ明細情報及び前記第２の有料道路の出場口に設置される出場処理装置からの出場口明細情報を取得し、
前記ＣＢ明細情報に対応する、前記第１の有料道路の入場口明細情報を取得し、
前記ＣＢ明細情報に対応する出場口明細情報を検索し、
前記ＣＢ明細情報と前記出場口明細情報とに基づいて料金を決定する、
料金処理方法。
【発明の詳細な説明】
【技術分野】
【０００１】
本発明の実施形態は、料金処理装置及び料金処理方法に関する。
【背景技術】
【０００２】
有料道路には、料金収受システムなどを用いて車両の運転者から料金を収受するものがある。複数の道路事業者の有料道路が接続されている箇所では、車両は異なる道路事業者の出場口及び入場口を経る必要があるため、車両の速度が低下し渋滞などが発生するおそれがある。そこで、道路事業者間に設置される入場口及び出場口の撤廃が望まれる。しかしながら、道路事業者間に設置される入場口及び出場口を撤廃すると、道路事業者が適切に料金を収受することができない恐れがあるという課題がある。
【先行技術文献】
【特許文献】
【０００３】
【特許文献１】特開平７−２８７７７８号公報
【特許文献２】特開平４−８８６００号公報
【特許文献３】特開平５−２３３９０７号公報
【発明の概要】
【発明が解決しようとする課題】
【０００４】
上記の課題を解決するために、道路事業者が適切に料金を収受することができる料金処理装置及び料金処理方法を提供する。
【課題を解決するための手段】
【０００５】
実施形態によれば、第１の有料道路と第２の有料道路とを通過する車両の料金を処理する料金処理装置は、記憶部と、取得部と、処理部と、を備える。記憶部は、前記第１の有料道路と前記第２の有料道路との接続箇所に設置されるＣＢからのＣＢ明細情報及び前記第２の有料道路の出場口に設置される出場処理装置からの出場口明細情報を格納する。取得部は、前記ＣＢ明細情報に対応する、前記第１の有料道路の入場口明細情報を取得する。処理部は、前記記憶部から前記ＣＢ明細情報に対応する出場口明細情報を検索し、前記ＣＢ明細情報と前記出場口明細情報とに基づいて料金を決定する。
【図面の簡単な説明】
【０００６】
【図１】図１は、実施形態に係る料金収受システムの構成例を示す概念図である。
【図２】図２は、実施形態に係る中央装置Ａの構成例を示すブロック図である。
【図３】図３は、実施形態に係る中央装置Ｂの構成例を示すブロック図である。
【図４】図４は、実施形態に係る仮想ＣＢテーブルの構成例を示す図である。
【図５】図５は、実施形態に係る中央装置Ｂの動作例を示す表である。
【図６】図６は、実施形態に係る中央装置Ｂの動作例を示すフローチャートである。
【図７】図７は、実施形態に係る中央装置Ｂの動作例を示すフローチャートである。
【図８】図８は、実施形態に係る中央装置Ｂの動作例を示すフローチャートである。
【発明を実施するための形態】
【０００７】
以下、実施形態について、図面を参照して説明する。  
料金収受システムは、高速道路などの有料道路に設置され、有料道路を通過する車両から料金を収受する。料金収受システムは、複数の道路事業者が設置する道路を通過する車両から所定の道路事業者の料金を収受する。
【０００８】
図１は、料金収受システム１の構成例を示す概念図である。図１が示す例では、料金収受システム１は、Ａ社が設置する有料道路Ａ（第１の有料道路）とＢ社が設置する有料道路Ｂ（第２の有料道路）とは、高速道路など通行に料金が必要な道路であり、所定の接続箇所で接続されている。有料道路Ａに入場した車両Ｖは、有料道路Ａを出場した後に接続箇所を経て有料道路Ｂに入場することができる。そして、この接続点を通過する車両Ｖからは、有料道路Ａ分の料金はＡ社、有料道路Ｂ分の料金はＢが収受する必要がある。
【０００９】
ここでは、料金収受システム１は、発進制御バーを設けている入場処理装置１０、発進制御バーが設けられていないＣＢ（チェックバリア）２０、発進制御バーが設けられていない出場口ＦＦ（フリーフロー）３０を想定する。
【００１０】
入場処理装置１０は、有料道路Ａの所定の位置に入場する入場口に設置され、発進制御バーを設けている料金所である。入場処理装置１０は、ＥＴＣシステムをサポートする。入場処理装置１０は、無線通信を用いて車両Ｖの車載器を通信することで、有料道路Ａに入場する車両Ｖに対して入場処理を行う。
【００１１】
たとえば、入場処理装置１０は、アンテナを通じて車載器から、車載器情報、車種情報、ナンバープレート情報又はカード情報などを取得する。車載器情報は、車載器を特定するＩＤなどから構成される。ナンバープレート情報は、車両Ｖのナンバーを示す。カード情報は、車載器にセットされた決済用カード（たとえば、ＥＴＣカード）の情報である。たとえば、カード情報は、カードＩＤなどである。
【００１２】
なお、入場処理装置１０は、車両Ｖのナンバープレートを撮影するカメラを備えてもよい。たとえば、入場処理装置１０は、ナンバープレートの画像から車両Ｖのナンバーを特定する。入場処理装置１０は、特定されたナンバーを示すナンバープレート情報を生成してもよい。
【００１３】
入場処理装置１０は、車載器から取得された情報などに基づいて入場の可否を判定する。入場処理装置１０は、車両Ｖが入場可能であると判定すると、バーを上げて車両Ｖを通過させる。また、入場処理装置１０は、入場処理装置１０が設置された入場口を示す情報（入場口情報）を車載器に送信する。
【００１４】
また、入場処理装置１０は、車両Ｖが入場不可能であると判定すると、バーを下げて車両Ｖの通過を阻止する。  
また、入場処理装置１０は、車両Ｖが入場可能であると判定すると、入場口明細（入場口明細情報）を生成する。入場口明細は、車載器情報、カード情報、ナンバープレート情報及び入場口情報などから構成される。
【００１５】
なお、入場処理装置１０は、車載器からさらにリンクＩＤ又はワイヤレスコードナンバーなどを取得してもよい。入場口明細は、さらにリンクＩＤ又はワイヤレスコードナンバーなどを備えてもよい。
【００１６】
入場処理装置１０は、入場口明細を中央装置Ａへ送信する。入場処理装置１０は、入場口明細を生成する度に、生成された入場口明細を中央装置Ａに送信してもよい。また、入場処理装置１０は、所定の間隔で、生成された入場口明細を中央装置Ａに送信してもよい。
【００１７】
ＣＢ２０は、有料道路Ａと有料道路Ｂとの接続箇所に設置される。ＣＢ２０は、ＥＴＣシステムをサポートする。ＣＢ２０は、接続箇所を通過する車両Ｖ（即ち、有料道路Ａから出場し有料道路Ｂに入場する車両Ｖ）と無線通信を用いてデータを送受信する。ＣＢ２０は、車両Ｖの車載器と無線通信するアンテナなどを備える。たとえば、アンテナは、接続箇所の道路の路側又は上部に設置される。たとえば、ＣＢ２０は、車両Ｖを停止又は減速させることなく通過させるフリーフロー装置である。
【００１８】
ＣＢ２０は、アンテナを通じて車両Ｖの車載器から車載器情報、カード情報、ナンバープレート情報及び入場口情報などを取得する。たとえば、ＣＢ２０は、アンテナの通信可能範囲にある車両に各情報を取得するリクエストを送信する。ＣＢ２０は、リクエストに対する返信として各情報を受信する。
【００１９】
また、ＣＢ２０は、ＣＢ２０を示すＣＢ情報を車載器に送信する。ＣＢ２０は、さらに、アンテナを通じて車載器に、当該接続箇所において有料道路Ａから出場したことを示す情報及び当該接続箇所において有料道路Ｂに入場したことを示す情報を送信してもよい。
【００２０】
また、ＣＢ２０は、車載器から車載器情報、カード情報、ナンバープレート情報及び入場口情報を取得すると、ＣＢ明細（ＣＢ明細情報）を生成する。ＣＢ明細は、車載器情報、カード情報、ナンバープレート情報、入場口情報及びＣＢ情報などから構成される。
【００２１】
なお、ＣＢ２０は、車載器からさらにリンクＩＤ又はワイヤレスコードナンバーなどを取得してもよい。ＣＢ明細は、さらにリンクＩＤ又はワイヤレスコードナンバーなどを備えてもよい。
【００２２】
また、ＣＢ２０は、ＣＢ明細を中央装置Ｂへ送信する。ＣＢ２０は、ＣＢ明細を生成する度に、生成されたＣＢ明細を中央装置Ｂに送信してもよい。また、ＣＢ２０は、所定の間隔で、生成されたＣＢ明細を中央装置Ｂに送信してもよい。
【００２３】
また、ＣＢ２０は、車載器から車載器情報、カード情報、ナンバープレート情報及び入場口情報などの一部しか取得できない場合、ＣＢ特処理明細（ＣＢ特処理明細情報）を生成する。ＣＢ特処理明細は、車載器から取得できた情報及びＣＢ情報などから構成される。たとえば、ＣＢ特処理明細は、車載器情報及びＣＢ情報などから構成される。たとえば、ＣＢ特処理明細は、カード情報などを含まない。たとえば、ＣＢ特処理明細は、入場口情報などを含まない。
【００２４】
また、ＣＢ２０は、ＣＢ特処理明細を中央装置Ｂへ送信する。ＣＢ２０は、ＣＢ特処理明細を生成する度に、生成されたＣＢ特処理明細を中央装置Ｂに送信してもよい。また、ＣＢ２０は、所定の間隔で、生成されたＣＢ特処理明細を中央装置Ｂに送信してもよい。
【００２５】
出場口ＦＦ３０（出場処理装置）は、有料道路Ｂの所定の位置から出場する出場口に設置される。出場口ＦＦ３０は、ＥＴＣシステムをサポートする。出場口ＦＦ３０は、無線通信を用いて、有料道路Ｂから出場する車両Ｖに対して出場処理を行う。出場口ＦＦ３０は、車両Ｖの車載器と無線通信するアンテナなどを備える。たとえば、アンテナは、接続箇所の道路の路側又は上部に設置される。たとえば、出場口ＦＦ３０は、車両Ｖを停止又は減速させることなく通過させるフリーフロー装置である。
【００２６】
出場口ＦＦ３０は、アンテナを通じて車両Ｖの車載器から車載器情報、カード情報、ナンバープレート情報、入場口情報及びＣＢ情報などを取得する。たとえば、出場口ＦＦ３０は、アンテナの通信可能範囲にある車両に各情報を取得するリクエストを送信する。出場口ＦＦ３０は、リクエストに対する返信として各情報を受信する。
【００２７】
また、出場口ＦＦ３０は、アンテナを通じて車載器に、出場口において有料道路Ｂから出場したことを示す情報を送信してもよい。また、出場口ＦＦ３０は、出場口を示す出場口情報を車載器に送信してもよい。
【００２８】
また、出場口ＦＦ３０は、車載器から車載器情報、カード情報、ナンバープレート情報、入場口情報及びＣＢ情報を取得すると、出場口明細（出場口明細情報）を生成する。出場口明細は、車載器情報、カード情報、ナンバープレート情報、入場口情報、ＣＢ情報及び出場口情報などから構成される。
【００２９】
なお、出場口ＦＦ３０は、車載器からさらにリンクＩＤ又はワイヤレスコードナンバーなどを取得してもよい。出場口明細は、さらにリンクＩＤ又はワイヤレスコードナンバーなどを備えてもよい。
【００３０】
また、出場口ＦＦ３０は、出場口明細を中央装置Ｂへ送信する。出場口ＦＦ３０は、出場口明細を生成する度に、生成された出場口明細を中央装置Ｂに送信してもよい。また、出場口ＦＦ３０は、所定の間隔で、生成された出場口明細を中央装置Ｂに送信してもよい。
【００３１】
また、出場口ＦＦ３０は、車載器から車載器情報、カード情報、ナンバープレート情報、入場口情報及びＣＢ情報などの一部しか取得できない場合、出場口特処理明細（出場口特処理明細情報）を生成する。出場口特処理明細は、車載器から取得できた情報及び出場口情報などから構成される。たとえば、出場口特処理明細は、車載器情報及び出場口情報などから構成される。たとえば、出場口特処理明細は、カード情報などを含まない。たとえば、出場口特処理明細は、入場口情報などを含まない。
【００３２】
また、出場口ＦＦ３０は、出場口特処理明細を中央装置Ｂへ送信する。出場口ＦＦ３０は、出場口特処理明細を生成する度に、生成された出場口特処理明細を中央装置Ｂに送信してもよい。また、出場口ＦＦ３０は、所定の間隔で、生成された出場口特処理明細を中央装置Ｂに送信してもよい。
【００３３】
車両Ｖは、入場処理装置１０を通過して有料道路Ａを走行する。また、車両Ｖは、ＣＢ２０を通過して有料道路Ａから出場し有料道路Ｂに入場する。また、車両Ｖは、出場口ＦＦ３０を通過して有料道路Ｂから出場する。
【００３４】
車両Ｖは、車載器を備える。前述の通り、車載器は、決済用カードをセットする。  
車載器は、入場処理装置１０、ＣＢ２０及び出場口ＦＦ３０と無線で通信する。
【００３５】
車載器は、入場処理装置１０に車載器情報、ナンバープレート情報及びカード情報などを送信する。たとえば、車載器は、予め車載器情報を格納する。また、車載器は、運転者の操作などによって予めナンバープレート情報を格納する。  
また、車載器は、入場処理装置１０から入場口情報などを受信する。車載器は、受信された入場口情報などを格納する。
【００３６】
車載器は、ＣＢ２０に車載器情報、カード情報、ナンバープレート情報及び入場口情報などを送信する。  
また、車載器は、ＣＢ２０からＣＢ情報などを受信する。車載器は、受信されたＣＢ情報などを格納する。
【００３７】
車載器は、出場口ＦＦ３０に車載器情報、カード情報、ナンバープレート情報、入場口情報及びＣＢ情報などを送信する。  
また、車載器は、出場口ＦＦ３０から出場口情報などを受信する。車載器は、受信された出場口情報などを格納する。
【００３８】
中央装置Ａ４０は、有料道路Ａを通行する車両を管理する。たとえば、中央装置Ａ４０は、入場処理装置１０からの入場口明細などを管理する。中央装置Ａ４０については、後に詳述する。
【００３９】
中央装置Ｂ５０（料金処理装置）は、有料道路Ｂを通行する車両を管理する。たとえば、中央装置Ｂ５０は、ＣＢ２０からのＣＢ明細及び出場口ＦＦ３０からの出場口明細などを管理する。また、中央装置Ｂ５０は、有料道路Ｂを通行する料金を決済する。中央装置Ｂ５０については、後に詳述する。
【００４０】
次に、中央装置Ａ４０について説明する。  
図２は、中央装置Ａ４０の構成例を示すブロック図である。  
図２が示すように、中央装置Ａ４０は、基本的な構成として、処理部（ＣＰＵ）４１、ＲＯＭ４２、ＲＡＭ４３、記憶部４４及び通信部４５などを備える。これらの各部は、データバスを介して互いに接続される。なお、中央装置Ａ４０は、図２が示すような構成の他に必要に応じた構成を具備したり、特定の構成を除外したりしてもよい。
【００４１】
処理部４１は、中央装置Ａ４０全体の動作を制御する機能を有する。処理部４１は、内部キャッシュおよび各種のインターフェースなどを備えても良い。処理部４１は、内部メモリ、ＲＯＭ４２又は記憶部４４が予め記憶するプログラムを実行することにより種々の処理を実現する。
【００４２】
なお、処理部４１がプログラムを実行することにより実現する各種の機能のうちの一部は、ハードウエア回路により実現されるものであっても良い。この場合、処理部４１は、ハードウエア回路により実行される機能を制御する。
【００４３】
ＲＯＭ４２は、予め制御用のプログラム及び制御データなどが記憶された不揮発性のメモリである。ＲＯＭ４２に記憶される制御プログラム及び制御データは、予め中央装置Ａ４０の仕様に応じて組み込まれる。ＲＯＭ４２は、たとえば、中央装置Ａ４０の回路基板を制御するプログラム（例えば、ＢＩＯＳ）などを格納する。
【００４４】
ＲＡＭ４３は、揮発性のメモリである。ＲＡＭ４３は、処理部４１の処理中のデータなどを一時的に格納する。ＲＡＭ４３は、処理部４１からの命令に基づき種々のアプリケーションプログラムを格納する。また、ＲＡＭ４３は、アプリケーションプログラムの実行に必要なデータ及びアプリケーションプログラムの実行結果などを格納してもよい。
【００４５】
記憶部４４は、データの書き込み及び書き換えが可能な不揮発性のメモリである。記憶部４４は、例えば、ハードディスク、ＳＳＤ、ＥＥＰＲＯＭ（登録商標）又はフラッシュメモリなどにより構成される。記憶部４４は、中央装置Ａ４０の運用用途に応じて制御プログラム、アプリケーション、及び種々のデータを格納する。  
また、記憶部４４は、入場口明細を格納する記憶領域４４ａなどを備える。
【００４６】
通信部４５は、入場処理装置１０及び中央装置Ａ４０と通信するためのインターフェースである。通信部４５は、インターネット又は独自ネットワークなどを介して入場処理装置１０及び中央装置Ａ４０と通信する。通信部４５は、入場処理装置１０及び中央装置Ａ４０のそれぞれと通信する複数の通信部から構成されてもよい。通信部４５は、たとえば、ＬＡＮ接続をサポートするインターフェースである。
【００４７】
図３は、中央装置Ｂ５０の構成例を示すブロック図である。  
図３が示すように、中央装置Ｂ５０は、基本的な構成として、処理部（ＣＰＵ）５１、ＲＯＭ５２、ＲＡＭ５３、記憶部５４及び通信部５５などを備える。これらの各部は、データバスを介して互いに接続される。なお、中央装置Ｂ５０は、図３が示すような構成の他に必要に応じた構成を具備したり、特定の構成を除外したりしてもよい。
【００４８】
処理部５１は、中央装置Ｂ５０全体の動作を制御する機能を有する。処理部５１は、内部キャッシュおよび各種のインターフェースなどを備えても良い。処理部５１は、内部メモリ、ＲＯＭ５２又は記憶部５４が予め記憶するプログラムを実行することにより種々の処理を実現する。
【００４９】
なお、処理部５１がプログラムを実行することにより実現する各種の機能のうちの一部は、ハードウエア回路により実現されるものであっても良い。この場合、処理部５１は、ハードウエア回路により実行される機能を制御する。
【００５０】
ＲＯＭ５２は、予め制御用のプログラム及び制御データなどが記憶された不揮発性のメモリである。ＲＯＭ５２に記憶される制御プログラム及び制御データは、予め中央装置Ｂ５０の仕様に応じて組み込まれる。ＲＯＭ５２は、たとえば、中央装置Ｂ５０の回路基板を制御するプログラム（例えば、ＢＩＯＳ）などを格納する。
【００５１】
ＲＡＭ５３は、揮発性のメモリである。ＲＡＭ５３は、処理部５１の処理中のデータなどを一時的に格納する。ＲＡＭ５３は、処理部５１からの命令に基づき種々のアプリケーションプログラムを格納する。また、ＲＡＭ５３は、アプリケーションプログラムの実行に必要なデータ及びアプリケーションプログラムの実行結果などを格納してもよい。
【００５２】
記憶部５４は、データの書き込み及び書き換えが可能な不揮発性のメモリである。記憶部５４は、例えば、ハードディスク、ＳＳＤ、ＥＥＰＲＯＭ（登録商標）又はフラッシュメモリなどにより構成される。記憶部５４は、中央装置Ｂ５０の運用用途に応じて制御プログラム、アプリケーション、及び種々のデータを格納する。
【００５３】
また、記憶部５４は、ＣＢ明細並びにＣＢ特処理明細を格納する記憶領域５４ａ、出場口明細並びに出場口特処理明細を格納する記憶領域５４ｂ、及び、仮想ＣＢテーブルを格納する記憶領域５４ｃなどを備える。仮想ＣＢテーブルについては、後述する。
【００５４】
通信部５５は、ＣＢ２０、出場口ＦＦ３０及び中央装置Ａ４０と通信するためのインターフェースである。通信部５５は、インターネット又は独自ネットワークなどを介してＣＢ２０、出場口ＦＦ３０及び中央装置Ａ４０と通信する。通信部５５は、ＣＢ２０、出場口ＦＦ３０及び中央装置Ａ４０のそれぞれと通信する複数の通信部から構成されてもよい。通信部５５は、たとえば、ＬＡＮ接続をサポートするインターフェースである。
【００５５】
次に、仮想ＣＢテーブルについて説明する。  
仮想ＣＢテーブルは、有料道路Ａの入場口及び有料道路Ｂの出場口に対応する仮想ＣＢを示す。たとえば、仮想ＣＢテーブルは、有料道路Ａのある入場口及び有料道路Ｂのある出場口を通過した場合に車両Ｖが通過したと推測される仮想ＣＢを示す。
【００５６】
たとえば、仮想ＣＢテーブルは、車両Ｖが当該入場口と当該出場口とを通過する最短経路上にある仮想ＣＢを示すものであってもよい。また、仮想ＣＢテーブルは、車両Ｖが当該入場口と当該出場口とを通過する最長経路上にある仮想ＣＢを示すものであってもよい。また、仮想ＣＢテーブルは、当該入場口と当該出場口とを通過する場合に最も多くの車両が通過する経路上にある仮想ＣＢを示すものであってもよい。また、仮想ＣＢテーブルは、車両Ｖが当該入場口と当該出場口とを通過する場合に最小の料金を収受する仮想ＣＢを示すものであってもよい。また、仮想ＣＢテーブルは、車両Ｖが当該入場口と当該出場口とを通過する場合に最大の料金を収受する仮想ＣＢを示すものであってもよい。仮想ＣＢテーブルが示す仮想ＣＢの構成は、特定の構成に限定されるものではない。
【００５７】
図４は、仮想ＣＢテーブルの構成例を示す。  
図４が示すように、仮想ＣＢテーブルは、「有料道路Ａ入場口」及び「有料道路Ｂ出場口」と、「仮想ＣＢ」と、を対応付けて格納する。
【００５８】
「有料道路Ａ入場口」は、車両Ｖが有料道路Ａに入場する入場口である。  
「有料道路Ｂ出場口」は、車両Ｖが有料道路Ｂに出場する出場口である。  
「仮想ＣＢ」は、「有料道路Ａ入場口」及び「有料道路Ｂ出場口」に対応する仮想ＣＢである。
【００５９】
図４が示す例では、たとえば、仮想ＣＢテーブルは、「入場口Ａ１」及び「出場口Ｂ１」に対応する仮想ＣＢとして「ＣＢ２０」を示す。たとえば、仮想ＣＢテーブルは、「入場口Ａ１」及び「出場口Ｂ１」を通過した場合に車両Ｖが通過したと推測される仮想ＣＢとして「ＣＢ２０」を示す。
【００６０】
次に、中央装置Ａ４０の処理部４１が実現する機能について説明する。  
まず、処理部４１は、入場処理装置１０からの入場口明細を記憶領域４４ａに格納する機能を有する。  
たとえば、処理部４１は、通信部４５を通じて入場処理装置１０から入場口明細を受信する。処理部４１は、受信された入場口明細を記憶領域４４ａに格納する。
【００６１】
また、処理部４１は、記憶領域４４ａから入場口明細を検索する機能を有する。  
たとえば、処理部４１は、中央装置Ｂ５０から入場口明細を検索するための検索情報を受信する。処理部４１は、検索情報に従って入場口明細を検索する。
【００６２】
たとえば、処理部４１は、検索情報としてＣＢ明細を受信する。処理部４１は、ＣＢ明細に対応する入場口明細を検索する。たとえば、処理部４１は、ＣＢ明細の車両Ｖと同一の車両が通過したことで生成された入場口明細を検索する。
【００６３】
たとえば、処理部４１は、ＣＢ明細から入場口情報を抽出する。処理部４１は、当該入場口情報を有する入場口明細に検索範囲を絞る。処理部４１は、当該検索範囲においてＣＢ明細のカード情報を有する入場口明細を検索する。処理部４１は、当該カード情報を有する入場口明細を、ＣＢ明細に対応する入場口明細として取得する。
【００６４】
また、たとえば、処理部４１は、検索情報として出場口明細を受信する。処理部４１は、出場口明細に対応する入場口明細を検索する。たとえば、処理部４１は、出場口明細の車両Ｖと同一の車両が通過したことで生成した入場口明細を検索する。
【００６５】
たとえば、処理部４１は、出場口明細から入場口情報を抽出する。処理部４１は、当該入場口情報を有する入場口明細に検索範囲を絞る。処理部４１は、当該検索範囲においてＣＢ明細のカード情報を有する入場口明細を検索する。処理部４１は、当該カード情報を有する入場口明細を、出場口明細に対応する入場口明細として取得する。
【００６６】
また、たとえば、処理部４１は、検索情報としてＣＢ特処理明細又は出場口特処理明細を受信する。処理部４１は、ＣＢ特処理明細又は出場口特処理明細が格納する車載器情報などを有する入場口明細を検索する。なお、処理部４１は、ＣＢ特処理明細と出場口特処理明細とで互いに補完した情報を検索情報として受信してもよい。  
処理部４１は、通信部４５を通じて、検索された入場口明細を中央装置Ａ４０へ送信する。
【００６７】
次に、中央装置Ｂ５０の処理部５１（取得部、処理部）が実現する機能について説明する。  
まず、処理部５１は、ＣＢ２０からのＣＢ明細及びＣＢ特処理明細を記憶領域５４ａに格納する機能を有する。  
たとえば、処理部５１は、通信部５５を通じてＣＢ２０からＣＢ明細及びＣＢ特処理明細を受信する。処理部５１は、受信されたＣＢ明細及びＣＢ特処理明細を記憶領域５４ａに格納する。
【００６８】
また、処理部５１は、出場口ＦＦ３０からの出場口明細及び出場口特処理明細を記憶領域５４ｂに格納する機能を有する。  
たとえば、処理部５１は、通信部５５を通じて出場口ＦＦ３０から出場口明細及び出場口特処理明細を受信する。処理部５１は、受信された出場口明細及び出場口特処理明細を記憶領域５４ｂに格納する。
【００６９】
また、処理部５１は、ＣＢ明細、ＣＢ特処理明細、出場口明細又は出場口特処理明細（有料道路Ｂに関連する明細）と入場口明細とを紐付けて車両Ｖの料金を決済する。
図５は、実施形態に係る中央装置Ｂの動作例を示す表である。処理部５１は、図５が示す表に従って、有料道路Ｂに関連する明細と入場口明細とを紐付ける。
【００７０】
図５が示す表では、「○」は、ＣＢ明細又は出場口明細があることを示す。「△」は、ＣＢ特処理明細又は出場口特処理明細があることを示す。「×」は、いずれの明細もないことを示す。
【００７１】
まず、ＣＢ明細がある場合（Ｎｏ．１、３又は６）において処理部５１が実現する機能を説明する。  
処理部５１は、記憶領域５４ａから一つのＣＢ明細を取得する。ＣＢ明細を取得すると、処理部５１は、ＣＢ明細に対応する入場口明細を取得する。たとえば、処理部５１は、通信部５５を通じて中央装置Ａ４０に検索条件としてＣＢ明細を送信する。処理部５１は、通信部５５を通じて、ＣＢ明細に対応する入場口明細を受信する。
【００７２】
入場口明細を取得すると、処理部５１は、入場口明細とＣＢ明細とを紐付ける。両者を紐付けると、処理部５１は、記憶領域５４ｂからＣＢ明細に対応する出場口明細を検索する。たとえば、処理部５１は、当該ＣＢ明細の車両Ｖと同一の車両が通過したことで生成された出場口明細を検索する。たとえば、処理部５１は、当該ＣＢ明細のカード情報を有する出場口明細を検索する。
【００７３】
出場口明細を発見すると（Ｎｏ．１の場合）、処理部５１は、入場口明細と出場口明細とを紐付ける。処理部５１は、両者を紐付けると、ＣＢ明細のＣＢ情報が示すＣＢと出場口明細の出場口情報が示す出場口との間の料金を決定する。処理部５１は、決定された料金を決済する。たとえば、処理部５１は、ＣＢ明細などのカード情報に基づいて料金を決済する。
【００７４】
また、出場口明細を発見しないと、処理部５１は、特別処理を行って記憶領域５４ｂからＣＢ明細に対応する出場口特処理明細を検索する。特別処理は、少なくとも一部の情報が欠損している明細（たとえば、出場口特処理明細又はＣＢ特処理明細）を検索する処理である。
【００７５】
たとえば、処理部５１は、ＣＢ明細の各情報を用いて出場口特処理明細を検索する。たとえば、処理部５１は、ＣＢ明細の車載器情報を有する出場口特処理明細を検索する。また、処理部５１は、ＣＢ明細のナンバープレート情報、リンクＩＤ、ワイヤレスコードナンバーなどを有する出場口特処理明細を検索してもよい。
【００７６】
出場口特処理明細を発見すると（Ｎｏ．３の場合）、処理部５１は、入場口明細と出場口特処理明細とを紐付ける。処理部５１は、両者を紐付けると、ＣＢ明細のＣＢ情報が示すＣＢと出場口特処理明細の出場口情報が示す出場口との間の料金を決定する。処理部５１は、決定された料金を決済する。
【００７７】
また、出場口特処理明細を発見しないと（Ｎｏ．６の場合）、処理部５１は、ＣＢ明細のＣＢ情報が示すＣＢを起点とする出場口不明処理を行う。たとえば、処理部５１は、出口不明処理として車両ＶがＣＢ明細のＣＢ情報が示すＣＢから有料道路Ｂに入場した場合における最大料金を決済する。なお、処理部５１は、当該ＣＢから有料道路Ｂに入場した場合における最小料金を決済してもよい。
【００７８】
次に、出場口明細がある場合（Ｎｏ．２又は５）において処理部５１が実現する機能について説明する。たとえば、処理部５１は、Ｎｏ．１の処理を行った後に、入場口明細と紐付かなかった出場口明細に対して、下記の処理を行う。
【００７９】
まず、処理部５１は、記憶領域５４ｂから一つの出場口明細を取得する。出場口明細を取得すると、処理部５１は、出場口明細に対応する入場口明細を取得する。たとえば、処理部５１は、通信部５５を通じて中央装置Ａ４０に検索条件として出場口明細を送信する。処理部５１は、通信部５５を通じて、出場口明細に対応する入場口明細を受信する。
【００８０】
入場口明細を取得すると、処理部５１は、取得された入場口明細と出場口明細とを紐付ける。処理部５１は、両者を紐付けると、処理部５１は、特別処理を行って記憶領域５４ａから出場口明細（又は、入場口明細）に対応するＣＢ特処理明細を検索する。
【００８１】
たとえば、処理部５１は、出場口明細の情報を用いてＣＢ特処理明細を検索する。たとえば、処理部５１は、出場口明細の車載器情報を有するＣＢ特処理明細を検索する。また、処理部５１は、出場口明細のナンバープレート情報、リンクＩＤ、ワイヤレスコードナンバーなどを有するＣＢ特処理明細を検索してもよい。また、処理部５１は、入場口明細の時刻と出場口明細の時刻との間の時刻を有するＣＢ特処理明細から出場口明細に対応するＣＢ特処理明細を検索してもよい。
【００８２】
ＣＢ特処理明細を発見すると（Ｎｏ．２の場合）、処理部５１は、入場口明細とＣＢ特処理明細とを紐付ける。両者を紐付けると、処理部５１は、ＣＢ特処理明細のＣＢ情報が示すＣＢと出場口特処理明細の出場口情報が示す出場口との間の料金を決定する。処理部５１は、決定された料金を決済する。
【００８３】
ＣＢ特処理明細を発見しないと（Ｎｏ．５の場合）、処理部５１は、仮想ＣＢテーブルを参照して、入場口明細の入場口情報が示す入場口及び出場口明細の出場口情報が示す出場口に対応する仮想ＣＢを設定する。仮想ＣＢを設定すると、処理部５１は、仮想ＣＢと出場口特処理明細の出場口情報が示す出場口との間の料金を決定する。処理部５１は、決定された料金を決済する。
【００８４】
次に、ＣＢ明細及び出場口明細がない場合（Ｎｏ．４）において処理部５１が実現する機能について説明する。たとえば、処理部５１は、Ｎｏ．１−３及び５−６の処理を行った後に、下記の処理を行う。
【００８５】
まず、処理部５１は、記憶領域５４ａから、出場口明細に対応付けられない一つのＣＢ特処理明細を取得する。ＣＢ特処理明細を取得すると、処理部５１は、特別処理を行って記憶領域５４ｂからＣＢ特処理明細に対応する出場口特処理明細を検索する。
【００８６】
たとえば、処理部５１は、ＣＢ特処理明細の情報を用いて出場口特処理明細を検索する。たとえば、処理部５１は、ＣＢ特処理明細の車載器情報を有する出場口特処理明細を検索する。また、処理部５１は、ＣＢ特処理明細のナンバープレート情報、リンクＩＤ、ワイヤレスコードナンバーなどを有する出場口特処理明細を検索してもよい。
【００８７】
出場口特処理明細を発見すると、処理部５１は、ＣＢ特処理明細と出場口特処理明細とを紐付ける。両者を紐付けると、処理部５１は、ＣＢ特処理明細及び出場口特処理明細に対応する入場口明細を取得する。たとえば、処理部５１は、通信部５５を通じて中央装置Ａ４０に検索条件としてＣＢ特処理明細又は出場口特処理明細を送信する。処理部５１は、通信部５５を通じて、出場口特処理明細及びＣＢ特処理明細に対応する入場口明細を受信する。なお、処理部５１は、ＣＢ特処理明細と出場口特処理明細とで互いに補完しあった情報を検索条件として中央装置Ａ４０に送信してもよい。
【００８８】
入場口明細を取得すると、処理部５１は、取得された入場口明細とＣＢ特処理明細及び出場口特処理明細とを紐付ける。処理部５１は、入場口明細を紐付けると、ＣＢ特処理明細のＣＢ情報が示すＣＢと出場口特処理明細の出場口情報が示す出場口との間の料金を決定する。処理部５１は、決定された料金を決済する。
【００８９】
次に、処理部５１の動作例について説明する。  
まず、ＣＢ明細がある場合の動作例について説明する。  
図６は、ＣＢ明細がある場合（Ｎｏ．１、３又は６）における処理部５１の動作例を説明するためのフローチャートである。
【００９０】
まず、処理部５１は、記憶領域５４ａからＣＢ明細を取得する（Ｓ１１）。ＣＢ明細を取得すると、処理部５１は、中央装置Ａ４０からＣＢ明細に対応する入場口明細を取得する（Ｓ１２）。入場口明細を取得すると、処理部５１は、入場口明細とＣＢ明細とを紐付ける（Ｓ１３）。
【００９１】
入場口明細とＣＢ明細とを紐付けると、処理部５１は、記憶領域５４ｂからＣＢ明細に対応する出場口明細を検索する（Ｓ１４）。出場口明細を発見すると（Ｓ１５、ＹＥＳ）、処理部５１は、入場口明細と出場口明細とを紐付ける（Ｓ１６）。入場口明細と出場口明細とを紐付けると、処理部５１は、ＣＢ明細のＣＢ情報が示すＣＢと出場口明細の出場口情報が示す出場口との間の料金を決定し決済する（Ｓ１７）。
【００９２】
出場口明細を発見しないと（Ｓ１５、ＮＯ）、処理部５１は、特別処理によって出場口特処理明細を検索する（Ｓ１８）。出場口特処理明細を発見すると（Ｓ１９、ＹＥＳ）、処理部５１は、入場口明細と出場口特処理明細とを紐付ける（Ｓ２０）。
【００９３】
入場口明細と出場口特処理明細とを紐付けると、処理部５１は、ＣＢ明細のＣＢ情報が示すＣＢと出場口特処理明細の出場口情報が示す出場口との間の料金を決定し決済する（Ｓ２１）。
【００９４】
出場口特処理明細を発見しないと（Ｓ１９、ＮＯ）、処理部５１は、出場口不明処理を行う（Ｓ２２）。  
料金を決済した場合（Ｓ１７）、料金を決済した場合（Ｓ２１）、又は、出場口不明処理を行った場合（Ｓ２２）、処理部５１は、動作を終了する。
【００９５】
次に、出場口明細がある場合の動作例について説明する。  
図７は、出場口明細がある場合（Ｎｏ．２又は５）における処理部５１の動作例を説明するためのフローチャートである。
【００９６】
まず、処理部５１は、記憶領域５４ｂから出場口明細を取得する（Ｓ３１）。出場口明細を取得すると、処理部５１は、中央装置Ａ４０から出場口明細に対応する入場口明細を取得する（Ｓ３２）。入場口明細を取得すると、処理部５１は、入場口明細と出場口明細とを紐付ける（Ｓ３３）。
【００９７】
入場口明細と出場口明細とを紐付けると、処理部５１は、特別処理によってＣＢ特処理明細を検索する（Ｓ３４）。ＣＢ特処理明細を発見すると（Ｓ３５、ＹＥＳ）、処理部５１は、入場口明細とＣＢ特処理明細とを紐付ける（Ｓ３６）。
【００９８】
入場口明細とＣＢ特処理明細とを紐付けると、処理部５１は、ＣＢ特処理明細のＣＢ情報が示すＣＢと出場口明細の出場口情報が示す出場口との間の料金を決定し決済する（Ｓ３７）。
【００９９】
ＣＢ特処理明細を発見しないと（Ｓ３５、ＮＯ）、処理部５１は、入場口明細の入場口情報が示す入場口及び出場口明細の出場口情報が示す出場口に対応する仮想ＣＢを設定する（Ｓ３８）。仮想ＣＢを設定すると、処理部５１は、仮想ＣＢと出場口明細の出場口情報が示す出場口との間の料金を決定し決済する（Ｓ３９）。
【０１００】
料金を決済した場合（Ｓ３７）、又は、料金を決済した場合（Ｓ３９）、処理部５１は、動作を終了する。
【０１０１】
次に、ＣＢ明細及び出場口明細がない場合（Ｎｏ．４）の動作例について説明する。  
図８は、ＣＢ明細及び出場口明細がない場合における処理部５１の動作例を説明するためのフローチャートである。
【０１０２】
まず、処理部５１は、記憶領域５４ａからＣＢ特処理明細を取得する（Ｓ４１）。ＣＢ特処理明細を取得すると、処理部５１は、特別処理によって記憶領域５４ｂからＣＢ特処理明細に対応する出場口特処理明細を取得する（Ｓ４２）。
【０１０３】
出場口特処理明細を取得すると、処理部５１は、ＣＢ特処理明細と出場口特処理明細とを紐付ける（Ｓ４３）。ＣＢ特処理明細と出場口特処理明細とを紐付けると、処理部５１は、中央装置Ａ４０からＣＢ特処理明細及び出場口特処理明細に対応する入場口明細を取得する（Ｓ４４）。
【０１０４】
入場口明細を取得すると、処理部５１は、ＣＢ特処理明細及び出場口特処理明細と入場口明細とを紐付ける（Ｓ４５）。ＣＢ特処理明細及び出場口特処理明細と入場口明細とを紐付けると、処理部５１は、ＣＢ特処理明細のＣＢ情報が示すＣＢと出場口特処理明細の出場口情報が示す出場口との間の料金を決定し決済する（Ｓ４６）。  
料金を決済すると、処理部５１は、動作を終了する。
【０１０５】
なお、処理部５１は、中央装置Ａ４０の処理部４１の機能を実現してもよい。たとえば、処理部５１は、予め記憶部５４に入場口明細を格納してもよい。たとえば、処理部５１は、所定のタイミングで中央装置Ａ４０からいくつか又は全ての入場口明細を取得し記憶部５４に格納してもよい。処理部５１は、記憶部５４から入場口明細を取得してもよい。
【０１０６】
また、処理部５１は、入場口情報などに基づいてＣＢから出場口までの料金を割り引いてもよい。  
また、処理部５１は、入場口明細に紐付いたＣＢ明細、ＣＢ特処理明細、出場口明細又は出場口特処理明細を中央装置Ａ４０へ送信してもよい。また、処理部５１は、決済された料金を中央装置Ａ４０へ送信してもよい。
【０１０７】
以上のように構成された料金収受システムは、有料道路Ａの入場口情報と有料道路Ｂに関連する明細とを対応付ける。料金収受システムは、両者を対応付けることで、入場口を通過して有料道路に入場した車両に対して適切に料金を収受することができる。
【０１０８】
たとえば、発進制御バーを設けていないＣＢ及び出口ＦＦでは、車両を停止又は減速させることができないため、車両との通信にエラーが生じやすい。他方、有料道路Ａの入場処理装置は、発進制御バーを設けている料金所であるため、車両を停止又は減速させて通信を行うため、車両との通信にエラーが生じにくい。そのため、料金収受システムは、有料道路Ａの入場口明細を用いて料金を決済することで、誤決済などを防止しすることができる。
【０１０９】
また、料金収受システムは、有料道路Ｂ上で正常なＣＢ明細や出場口明細が上がらず、カードＩＤ情報等一部の情報が欠落したＣＢ特処理明細及び出場口特処理明細が上がったとしても、ナンバープレート情報、リンクＩＤ、ワイヤレスコードナンバー等の情報が一致した場合など補正条件を定めることで、ＣＢ情報や出場口情報を補正することができる。料金収受システムは、両者を紐付けることで、ＣＢ又は出場口で車両から十分な情報を得られなかった場合でも適切に料金を収受することができる。
【０１１０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１１】
１…料金収受システム、１０…入場処理装置、２０…ＣＢ、３０…出場口ＦＦ、４０…中央装置Ａ、４１…処理部、４４…記憶部、４４ａ…記憶領域、５０…中央装置Ｂ、５１…処理部、５４…記憶部、５４ａ乃至５４ｃ…記憶領域。
【図１】
2018124635.tif 000003
【図２】
2018124635.tif 000004
【図３】
2018124635.tif 000005
【図４】
2018124635.tif 000006
【図５】
2018124635.tif 000007
【図６】
2018124635.tif 000008
【図７】
2018124635.tif 000009
【図８】
2018124635.tif 000010